(57)【特許請求の範囲】
【請求項１】
方形状に成形された複数の基材と、これら複数の基材の内の一つである特定の基材の表面又は裏面に固定された中継基板と、上記特定の基材以外の他の基材に配置された太陽光発電体と、を備え、
上記太陽光発電体が配置された他の基材は、上記中継基板が固定された特定の基材の平面視における上下方向及び／又は左右方向に、該他の基材に固定された布帛又は樹脂製シート等のような折り畳み可能な一方のシート体と、該特定の基材に固定された布帛又は樹脂製シート等のような折り畳み可能な他方のシート体とが連結手段を介して該特定の基材から該他の基材を取り外すことができるように該特定の基材に対して連結されてなり、
上記他の基材のそれぞれには、上記太陽光発電体にそれぞれ基端が接続された発電体側のマイナス側ケーブルとプラス側ケーブルとが対となった状態で設けられ、上記特定の基材には、基端がそれぞれ上記中継基板に接続された中継基板側のマイナス側ケーブルとプラス側ケーブルとが複数対となった状態で設けられ、
上記発電体側のマイナス側ケーブルと上記中継基板側のマイナス側ケーブルとは互いに着脱可能に接続されてなるとともに、上記発電体側のプラス側ケーブルと上記中継基板側のプラス側ケーブルとは互いに着脱可能に接続されてなることを特徴とする太陽光発電装置。
【請求項２】
前記他の基材に設けられた発電体側のマイナス側ケーブルとプラス側ケーブルと、前記中継基板に接続された中継基板側のマイナス側ケーブルとプラス側ケーブルとが互いに接続される部位は、該特定の基材と他の基材との間の位置とされてなるとともに、
この間の位置には、それぞれ互いに接続された発電体側のマイナス側ケーブルとプラス側ケーブルと中継基板側のマイナス側ケーブルとプラス側ケーブルを上方から被覆する被覆カバーが該特定の基材及び／又は他の基材に対して着脱可能に取り付けられてなることを特徴とする請求項１記載の太陽光発電装置。
【請求項３】
前記特定の基材に連結された他の基材には、該他の基材の平面視における上方又は下方若しくは左方又は右方の内の少なくとも一方向において、前記特定の基材の角部近傍に角部が位置してなり太陽光発電体が固定された角部側の他の基材が配置され、
上記角部側の他の基材には布帛又は樹脂製シート等のような折り畳み可能な角部側のシート体が固定され、上記他の基材には前記一方のシート体が固定され、上記角部側のシート体と上記一方のシート体が互いに連結手段を介して取り外し可能に連結されてなるとともに、
上記角部側の他の基材には、該角部側の他の基材に配置された太陽光発電体にそれぞれ基端が接続された角部側のマイナス側ケーブルとプラス側ケーブルとが対となった状態で設けられ、
上記特定の基材には、上記角部側の他の基材に設けられた角部側のマイナス側ケーブルとプラス側ケーブルに接続される前記中継基板側のマイナス側ケーブルとプラス側ケーブルとが対となった状態で設けられてなることを特徴とする請求項１記載の太陽光発電装置。
【請求項４】
前記他の基材に設けられた発電体側のマイナス側ケーブルとプラス側ケーブルと、前記中継基板に接続された中継基板側のマイナス側ケーブルとプラス側ケーブルとが互いに接続される部位と、
前記角部側の他の基材に設けられた角部側のマイナス側ケーブルとプラス側ケーブルと、前記中継基板に接続された中継基板側のマイナス側ケーブルとプラス側ケーブルとが互いに接続される部位とは、それぞれ該特定の基材と他の基材との間の位置とされてなるとともに、
この間の位置には、それぞれ互いに接続された発電体側のマイナス側ケーブルとプラス側ケーブルと中継基板側のマイナス側ケーブルとプラス側ケーブルと、上記角部側のマイナス側ケーブルとプラス側ケーブルと、前記中継基板に接続された中継基板側のマイナス側ケーブルとプラス側ケーブルとを、上方から被覆する被覆カバーが該特定の基材及び／又は他の基材に対して着脱可能に取り付けられてなることを特徴とする請求項３記載の太陽光発電装置。
【請求項５】
前記角部側の他の基材に配置された太陽光発電体に基端が接続されたそれぞれのマイナス側ケーブルとプラス側ケーブルとのそれぞれ中途部は、該角部側の他の基材に取り付けられた長尺被覆カバーの下側に配線されてなるとともに、該マイナス側ケーブルとプラス側ケーブルは上記長尺被覆カバーと前記被覆カバーとにより被覆され外部に露出されていないことを特徴とする請求項４記載の太陽光発電装置。
【請求項６】
前記連結手段は、前記他の基材に固定された一方のシート体及び／又は前記角部側の他の基材に固定された角部側のシート体に固定された一方のエレメントと、前記特定の基材に固定された他方のシート体に固定された他方のエレメントと、これら一方及び他方のエレメントとを連結するスライダーとを備え、このスライダーのスライド操作により上記特定の基材と他の基材若しくは該他の基材と角部側の他の基材とを互いに連結し又は該連結状態を解除することが可能とされてなることを特徴とする請求項１又は３記載の何れかの太陽光発電装置。
【発明の詳細な説明】
【技術分野】
【０００１】
本発明は、太陽光発電装置に係るものであって、特に、複数の太陽光発電パネルや太陽光発電体フィルム等の太陽光発電体が、隣接する太陽光発電体の間で折り畳むことが可能な太陽光発電装置に関するものである。
【背景技術】
【０００２】
これまで太陽光発電装置は、国の電力買取制度の創設を背景に、家屋，ビル又は工場等の構造物の屋根や屋上に多数設置されたり、広い敷地に数多く設置されたりすることが多い。こうした構造物や敷地に多数設置されている太陽光発電装置は、複数のセルからなるモジュールが所定の面積に配置された太陽光発電体（太陽光発電パネル等）が架台により傾斜した状態で支持されてなるものが殆どである。他方、上記太陽光発電装置は、古くは電卓の電源として使用されたり、近年では、携帯電話等の家電製品等を充電したりするためのバッテリーとして利用されているものも存在する。
【０００３】
ところで、上述した構造物や敷地に設置された太陽光発電装置では、該構造物等に固定されたものであり、持ち運びが不能である一方、家電製品を充電する用途として販売されている太陽光発電装置では、小型であるため持ち運びに適している半面、得られる電力が小さい。換言すれば、商用電源を得られる環境にない場所や震災等の天災地変により電源設備が使用不能となった場所にも携帯することができるとともに、要求される発電量を確保することが可能な太陽光発電装置が求められている。
【０００４】
そこで、従来、こうした機能を備えた太陽光発電装置としては、以下に羅列するものが種々提案されている。例えば、上面には太陽光発電フィルムが固定された剛性パネル同士を蝶番によって特定方向に連結させ、上記それぞれの蝶番が固定された位置において、山折と谷折とを繰り返すことにより折り畳み可能な構造とし、折り畳み状態においては上下に太陽光発電フィルムが重層された状態となり、展開状態では上記複数の太陽光発電フィルムの正面がそれぞれ水平とされた状態となるもの（特許文献１参照）が提案されている。また、他にも、フレキシブル基材の上面に、複数の太陽光発電パネルを固定し、これら複数の太陽光発電パネルと太陽光発電パネルとの間において上記フレキシブル基材を折曲することにより折り畳み可能としたもの（特許文献２）が提案されている。
【先行技術文献】
【特許文献】
【０００５】
【特許文献１】特開２０１２−１３４４６２号公報
【特許文献２】実用新案登録第３１７７８１３号公報
【発明の概要】
【発明が解決しようとする課題】
【０００６】
ところで、上記特許文献１及び２に開示されたそれぞれの太陽光発電装置は、それぞれの太陽光発電フィルムや太陽光発電パネル等の太陽光発電体は、それぞれの太陽光発電体に形成されたプラス側の端子同士及びマイナス側の端子同士をそれぞれ配線により電気的に接続させ、それぞれ外部出力用のプラス側ケーブルとマイナス側ケーブルとに接続されている。そして、上記プラス側ケーブルとマイナス側ケーブルとは、蓄電池やインバータ（パワーコンディショナー）等の電子機器に接続される。
【０００７】
したがって、上述した各特許文献１，２に開示された太陽光発電装置では、特定方向に並んで配置された各太陽光発電体をそれぞれ接続する配線の長さは極めて長尺となる結果、電気抵抗が大きくなるばかりではなく、太陽光発電体の数が増加すればする程、折り畳む動作も増加することとなり、上記配線が中途部で断線する危険性が高い。
【０００８】
他方、使用者が望む発電量は、太陽光発電装置の使用目的や使用時間或いは使用場所によりそれぞれ異なる。すなわち、多くの発電量を望む場合には、太陽光発電体自体の面積が広いものを使用すべきこととなるが、個々の太陽光発電体の面積が所定の面積として予め決定されている場合には、相対的に多くの数の太陽光発電体を構成要素とすることとなる一方、相対的に多くの発電量を望まない場合には、少ない数の太陽光発電体を構成要素とすれば足りることとなり、太陽光発電体の数は、その時々によって異なる場合が多い。そして、多くの数の太陽光発電体を構成要素とする場合には、太陽光発電装置全体の重量は増加し、これに対して、その数が少ない場合には、太陽光発電装置全体の重量は相対的に減少する。
【０００９】
そこで、本発明は、上述した従来の太陽光発電装置が有する課題を解決するために提案されたものであって、折り畳み可能であり携帯性に優れるばかりではなく、配線の長さを短くすることにより電気抵抗を抑制することができ、上記配線が中途部で断線する危険性を低減することができるばかりではなく、使用者の使用目的や使用時間等に応じて、個々の太陽光発電体の数を適宜変更することができる新規な太陽光発電装置を提供することを目的とするものである。
【課題を解決するための手段】
【００１０】
本発明は、上記課題を解決するために提案されたものであって、第１の発明（請求項１記載の発明）は、方形状に成形された複数の基材と、これら複数の基材の内の一つである特定の基材の表面又は裏面に固定された中継基板と、上記特定の基材以外の他の基材に配置された太陽光発電体と、を備え、上記太陽光発電体が配置された他の基材は、上記中継基板が固定された特定の基材の平面視における上下方向及び／又は左右方向に、該他の基材に固定された布帛又は樹脂製シート等のような折り畳み可能な一方のシート体と、該特定の基材に固定された布帛又は樹脂製シート等のような折り畳み可能な他方のシート体とが連結手段を介して該特定の基材から該他の基材を取り外すことができるように該特定の基材に対して連結されてなり、上記他の基材のそれぞれには、上記太陽光発電体にそれぞれ基端が接続された発電体側のマイナス側ケーブルとプラス側ケーブルとが対となった状態で設けられ、上記特定の基材には、基端がそれぞれ上記中継基板に接続された中継基板側のマイナス側ケーブルとプラス側ケーブルとが複数対となった状態で設けられ、上記発電体側のマイナス側ケーブルと上記中継基板側のマイナス側ケーブルとは互いに着脱可能に接続されてなるとともに、上記発電体側のプラス側ケーブルと上記中継基板側のプラス側ケーブルとは互いに着脱可能に接続されてなることを特徴とするものである。
【００１１】
この第１の発明では、中継基板が固定された特定の基材に対して、それぞれ太陽光により発電する太陽光発電体が配置された他の基材は、該特定の基材の平面視における上下方向の二方向又は左右方向の二方向若しくは上下左右の四方向に配置されている。換言すれば、上記中継基板が固定された特定の基材は、太陽光発電体が配置された複数の他の基材により挟まれた位置に存在する。したがって、この第１の発明に係る太陽光発電装置では、個々の太陽光発電体と中継基板とを接続するケーブルの長さの総和は、従来の太陽光発電装置のように個々の太陽光発電体を一方向に並列して配置された場合におけるケーブルの長さの総和と比較して短いものとなる。この結果、電気抵抗を大きく抑制することができるばかりではなく、後述する折り畳み操作を繰り返すことによるケーブルの断線等の危険性を格段に向上させることができる。
【００１２】
また、この第１の発明では、上記特定の基材と他の基材とは、該他の基材に固定された布帛又は樹脂製シート等のような折り畳み可能な一方のシート体と、該特定の基材に固定された布帛又は樹脂製シート等のような折り畳み可能な他方のシート体とが連結手段を介して該特定の基材から他の基材を取り外すことができるように連結されていることから、他の基材のそれぞれを上記特定の基材上又は特定の基材下に折り畳むことができるとともに、該特定の基材に対して他の基材を取り外すことも可能となる。したがって、この第１の発明に係る太陽光発電装置によれば、使用者の使用目的や使用時間等に応じて、個々の太陽光発電体の数を適宜変更することができる。なお、上記特定の基材と他の基材とを、スライダーのスライド操作によって、それぞれの基材に固定された可撓性を有する一方及び他方のファスナーテープに多数固定されたエレメント同士を互いに噛合させることにより連結する場合（上記連結手段がファスナーである場合）において、上記一方のシート体は上記他方のファスナーテープであり、上記他方のシート体は上記一方のファスナーテープである。
【００１３】
なお、この第１の発明を構成するそれぞれの基材の素材又は形態は、上記中継基板や太陽光発電体を固定又は配置できるものであれば、特に限定されるものではなく、硬質な樹脂製の板材などを用いても良いが、布帛又は樹脂製シートや合成皮革等のようなシート体からなるものを用いることが軽量化や携帯性の観点から望ましい。また、上記太陽光発電体は、方形状に成形された単一の太陽光発電体でも良いし、複数の太陽光発電体からなり全体で方形状に成形された単一の太陽光発電体群からなるものであっても良い。言うまでもなく、この発明を構成する太陽光発電体とは、少なくとも、太陽光の照射により該太陽光エネルギーを電気エネルギーに変換する（発電する）ものであれば良く、単一のセル又はモジュール若しくはアレイとして構成されているものであっても良い。さらに、この太陽光発電体は、個々の単結晶または多結晶のシリコン基板を使用したタイプ（単結晶シリコン太陽電池、結晶シリコン太陽電池）や、ガラス、または金属等の基板の上に、薄膜状のアモルファスシリコンを形成させたアモルファスシリコン太陽電池、さらには、複数の元素を主原料とした化合物半導体太陽電池（単結晶化合物半導体太陽電池、多結晶化合物半導体太陽電池）でも良い。また、（全体として）方形状に成形された単一の太陽光発電体群を構成する太陽光発電体の数は、個々の太陽光発電体の大きさや単一の太陽光発電体群が配置される基材上のスペースとの関係にもよるが、例えば、長方形状に成形された二つの太陽光発電体としての太陽光発電フィルムの長辺が互いに平行となるように左右に並べたものであっても良い。
【００１４】
また、本発明を構成する連結手段は、上記一方のシート体と他方のシート体とを互いに取り外し可能に連結することができるものであれば良く、例えば、上記一方のシート体に一方のホック半体を固定し、他方のシート体に他方のホック半体を固定し、上記一方のホック半体と他方のホック半体とを互いに連結するものであっても良い。また、上記一方のシート体に一方のファスナーテープを固定し、他方のシート体に他方のファスナーテープを固定し、上記一方及び他方のファスナーテープのそれぞれに固定された多数のエレメントをスライダーの操作により互いに連結するもの（第６の発明（請求項６記載の発明）参照）であっても良い。
【００１５】
また、第２の発明（請求項２記載の発明）は、上記第１の発明において、前記他の基材に設けられた発電体側のマイナス側ケーブルとプラス側ケーブルと、前記中継基板に接続された中継基板側のマイナス側ケーブルとプラス側ケーブルとが互いに接続される部位は、該特定の基材と他の基材との間の位置とされてなるとともに、この間の位置には、それぞれ互いに接続された発電体側のマイナス側ケーブルとプラス側ケーブルと中継基板側のマイナス側ケーブルとプラス側ケーブルを上方から被覆する被覆カバーが該特定の基材及び／又は他の基材に対して着脱可能に取り付けられてなることを特徴とするものである。
【００１６】
この第２の発明では、特定の基材と他の基材との間の位置には、それぞれ互いに接続された発電体側のマイナス側ケーブルとプラス側ケーブルと中継基板側のマイナス側ケーブルとプラス側ケーブルを上方から被覆する被覆カバーが該特定の基材及び／又は他の基材に対して着脱可能に取り付けられてなることから、使用者が持ち運ぶ際、折畳操作をする際、開放操作をする際、或いは使用する際において、上記それぞれの端子の接続状態が不用意に解除されることを有効に防止することができる。
【００１７】
第３の発明（請求項３記載の発明）は、上記第１の発明において、前記特定の基材に連結された他の基材には、該他の基材の平面視における上方又は下方若しくは左方又は右方の内の少なくとも一方向において、前記特定の基材の角部近傍に角部が位置してなり太陽光発電体が固定された角部側の他の基材が配置され、上記角部側の他の基材には布帛又は樹脂製シート等のような折り畳み可能な角部側のシート体が固定され、上記他の基材には前記一方のシート体が固定され、上記角部側のシート体と上記一方のシート体が互いに連結手段を介して取り外し可能に連結されてなるとともに、上記角部側の他の基材には、該角部側の他の基材に配置された太陽光発電体にそれぞれ基端が接続された角部側のマイナス側ケーブルとプラス側ケーブルとが対となった状態で設けられ、上記特定の基材には、上記角部側の他の基材に設けられた角部側のマイナス側ケーブルとプラス側ケーブルに接続される前記中継基板側のマイナス側ケーブルとプラス側ケーブルとが対となった状態で設けられてなることを特徴とするものである。
【００１８】
この第３の発明では、例えば、上記中継基板が固定された特定の基材の平面視における上下方向及び左右方向（四方向）の全てに（全部で４つの）上記他の基材が取り付けられていることを想定した場合、上側の他の基材と右側の他の基材との双方に、又は、上記上側の他の基材と左側の他の基材との双方に、又は、上記下側の他の基材と右側の他の基材との双方に、又は、左側の他の基材と下側の他の基材との双方に、上記連結手段を介して角部側の他の基材が取り付けられている。言うまでも無く、上述した他の基材の取付位置が異なる場合には、上記角部側の他の基材の取付位置も異なり、例えば、上記特定の基材の平面視における上下方向の双方に上記他の基材が取り付けられている場合には、上記角部側の他の基材は、上方に取り付けれた他の基材の右側又は左側の双方又は一方に、又は、下方に取り付けられた他の基材の右側又は左側の双方に又は一方に、上記角部側の他の基材が取り付けられている。このような他の基材の取付例である場合において、上記他の基材と角部側の他の基材との取付個所は、他の基材の左右方向の何れか一方向に角部側の他の基材が取り付けられている。
【００１９】
そして、上記他の基材には、前記一方のシート体が固定され、上記角部側の他の基材には折り畳み可能な角部側のシート体が固定され、これら一方のシート体と角部側のシート体とは連結手段を介して、該他の基材から角部側の他の基材を取り外すことができるように連結されている。
【００２０】
また、この第３の発明では、上記角部側の他の基材には、該角部側の他の基材に配置された太陽光発電体にそれぞれ基端が接続された角部側のマイナス側ケーブルとプラス側ケーブルとが対となった状態で設けられ、上記特定の基材には、上記角部側の他の基材に設けられた角部側のマイナス側ケーブルとプラス側ケーブルに接続される前記中継基板側のマイナス側ケーブルとプラス側ケーブルとが対となった状態で設けられている。したがって、この第３の発明によれば、上記連結手段による他の基材と角部側の他の基材との連結状態を解除するとともに、発電体側のマイナス側ケーブルとプラス側ケーブルと、中継基板側のマイナス側ケーブルとプラス側ケーブルとの接続状態を解除することにより、それまで取り付けられていた角部側の他の基材を取り外すことが可能となり、また逆の操作をすることにより、他の基材に対して角部側の他の基材を取り付けることが可能となる。
【００２１】
すなわち、この第３の発明に係る太陽光発電装置によれば、上記中継基板が固定された特定の基材に対して、４つの他の基材とこれらの他の基材に取り付けられた上記４つの角部側の他の基材とのそれぞれに配置された全部（最大）で８つの太陽光発電体により発電することができるとともに、使用目的や使用場所等により、上記角部側の他の基材や他の基材の何れか１つ又は複数を取り外して持ち運び又は使用することが可能となり、それぞれ異なる使用者の電力需要に対応することができる。
【００２２】
また、第４の発明（請求項４記載の発明）は、上記第３の発明において、前記他の基材に設けられた発電体側のマイナス側ケーブルとプラス側ケーブルと、前記中継基板に接続された中継基板側のマイナス側ケーブルとプラス側ケーブルとが互いに接続される部位と、前記角部側の他の基材に設けられた角部側のマイナス側ケーブルとプラス側ケーブルと、前記中継基板に接続された中継基板側のマイナス側ケーブルとプラス側ケーブルとが互いに接続される部位とは、それぞれ該特定の基材と他の基材との間の位置とされてなるとともに、この間の位置には、それぞれ互いに接続された発電体側のマイナス側ケーブルとプラス側ケーブルと中継基板側のマイナス側ケーブルとプラス側ケーブルと、上記角部側のマイナス側ケーブルとプラス側ケーブルと、前記中継基板に接続された中継基板側のマイナス側ケーブルとプラス側ケーブルとを、上方から被覆する被覆カバーが該特定の基材及び／又は他の基材に対して着脱可能に取り付けられてなることを特徴とするものである。
【００２３】
すなわち、この第４の発明では、上記他の基板に設けられた発電体側のマイナス側ケーブルとプラス側ケーブル（以下、これらのケーブルを、一対のケーブルＡ，Ｂという。）に接続されるべき中継基板側のマイナス側ケーブルとプラス側ケーブル（以下、これらのケーブルを、一対のケーブルＣ，Ｄ）と、上記角部側の他の基材に設けられた発電体側のマイナス側ケーブルとプラス側ケーブル（以下、これらのケーブルを、一対のケーブルＥ，Ｆという。）に接続されるべき中継基板側のマイナス側ケーブルとプラス側ケーブル（以下、これらのケーブルを、一対のケーブルＧ，Ｈという。）とが、それぞれ構成要素とされている。換言すれば、上記特定の基材には、上記一対のケーブルＣ，Ｄが他の基材の数と同じ数設けられ、上記一対のケーブルＧ、Ｈが角部側の他の基材の数と同じ数設けられている。
【００２４】
そして、さらにこの第４の発明では、上記一対のケーブルＡ，Ｂと上記一対のケーブルＣ，Ｄとが接続される部位及び上記一対のケーブルＥ，Ｆと上記一対のケーブルＧ，Ｈとが接続される部位は、上記特定の基材と他の基材との間の位置であり、上記それぞれの一対のケーブルＡ，Ｂ，Ｃ，Ｄ，Ｅ，Ｆ，Ｇ、Ｈは、これらのケーブルＡ，Ｂ，Ｃ，Ｄ，Ｅ，Ｆ，Ｇ、Ｈの上方から被覆する被覆カバーにより被覆され、この被覆カバーは、上記特定の基材及び／又は他の基材に対して着脱可能とされている。
【００２５】
したがって、この第４の発明に係る太陽光発電装置によれば、上記被覆カバーにより、上記それぞれの一対のケーブルＡ，Ｂ，Ｃ，Ｄ，Ｅ，Ｆ，Ｇ、Ｈが不用意に外れてそれぞれの接続状態が解除される危険性を防止することができるとともに、上記角部側の他の基材が取り付けられた場合であっても、上記被覆カバーの数を増加する必要性も無い。
【００２６】
また、第５の発明（請求項５記載の発明）は、上記第４の発明において、前記角部側の他の基材に配置された太陽光発電体に基端が接続されたそれぞれのマイナス側ケーブルとプラス側ケーブルとのそれぞれ中途部は、該角部側の他の基材に取り付けられた長尺被覆カバーの下側に配線されてなるとともに、該マイナス側ケーブルとプラス側ケーブルは上記長尺被覆カバーと前記被覆カバーとにより被覆され外部に露出されていないことを特徴とするものである。
【００２７】
この第５の発明に係る太陽光発電装置によれば、上記各ケーブルは、上記長尺被覆カバーと前記被覆カバーとにより被覆され外部に露出されないことから、不用意にケーブルが引っ張られて断線したり、先に説明したそれぞれの端子同士の接続状態が解除されてしまったりする危険性を有効に防止することができる。
【００２８】
また、第６の発明（請求項６記載の発明）は、上記第１又は第３の発明の何れかにおいて、前記連結手段は、前記他の基材に固定された一方のシート体及び／又は前記角部側の他の基材に固定された角部側のシート体に固定された一方のエレメントと、前記特定の基材に固定された他方のシート体に固定された他方のエレメントと、これら一方及び他方のエレメントとを連結するスライダーとを備え、このスライダーのスライド操作により上記特定の基材と他の基材若しくは該他の基材と角部側の他の基材とを互いに連結し又は該連結状態を解除することが可能とされてなることを特徴とするものである。
【００２９】
上記第６の発明に係る太陽光発電装置によれば、上記スライダーのスライド操作により上記特定の基材と他の基材若しくは該他の基材と角部側の他の基材とを連結し又は連結状態を解除することが可能とされてなることから、他の連結手段に比べて操作性が極めて良好となり、また相互の連結状態も安定したものとすることができる。
【発明の効果】
【００３０】
上記第１の発明（請求項１記載の発明）に係る太陽光発電装置では、上記中継基板が固定された特定の基材は、太陽光発電体が配置された複数の他の基材により挟まれた位置に存在し、個々の太陽光発電体と中継基板との距離の総和は、従来の太陽光発電装置のように個々の太陽光発電体を一方向に並列して配置された場合のケーブルないし配線の長さの総和と比較して短いものとなることから、電気抵抗を大きく抑制することができるばかりではなく、折り畳み操作を繰り返すことによる断線等の危険性を格段に向上させることができる。
【００３１】
また、この第１の発明に係る太陽光発電装置では、上記特定の基材と他の基材とは、該他の基材に固定された布帛又は樹脂製シート等のような折り畳み可能な一方のシート体と、該特定の基材に固定された布帛又は樹脂製シート等のような折り畳み可能な他方のシート体とが連結手段を介して該特定の基材から他の基材を取り外すことができるように連結されていることから、他の基材のそれぞれを上記特定の基材上又は特定の基材下に折り畳むことができるとともに、該特定の基材に対して他の基材を取り外すことも可能となる。したがって、この第１の発明に係る太陽光発電装置によれば、使用者の使用目的や使用時間等に応じて、個々の太陽光発電体の数を適宜変更することができる。
【００３２】
また、第２の発明（請求項２記載の発明）に係る太陽光発電装置では、特定の基材と他の基材との間の位置には、それぞれ互いに接続された発電体側のマイナス側ケーブルとプラス側ケーブルと中継基板側のマイナス側ケーブルとプラス側ケーブルを上方から被覆する被覆カバーが該特定の基材及び／又は他の基材に対して着脱可能に取り付けられてなることから、使用者がこの太陽光発電装置を持ち運ぶ際、折り畳み操作をする際、開放操作をする際、或いは使用する際において、上記それぞれの端子の接続状態が不用意に解除されることを有効に防止することができる。
【００３３】
また、第３の発明（請求項３記載の発明）に係る太陽光発電装置によれば、上記中継基板が固定された特定の基材に対して、４つの他の基材とこれらの他の基材に取り付けられた上記４つの角部側の他の基材とのそれぞれに配置された全部（最大）で８つの太陽光発電体により発電することができるとともに、使用目的や使用場所等により、上記角部側の他の基材や他の基材の何れか１つ又は複数を取り外して持ち運び又は使用することが可能となり、それぞれ異なる使用者の電力需要に対応することができる。
【００３４】
また、第４の発明（請求項４記載の発明）に係る太陽光発電装置によれば、上記被覆カバーにより、上記それぞれの一対のケーブルが不用意に外れてそれぞれの接続状態が解除される危険性を防止することができるとともに、上記角部側の他の基材が取り付けられた場合であっても、上記被覆カバーの数を増加する必要性も無い。
【００３５】
また、第５の発明（請求項５記載の発明）に係る太陽光発電装置によれば、上記各ケーブルは、上記長尺被覆カバーと前記被覆カバーとにより被覆され外部に露出されないことから、不用意にケーブルが引っ張られて断線したり、先に説明したそれぞれの端子同士の接続状態が解除されてしまったりする危険性を有効に防止することができる。
【００３６】
また、第６の発明（請求項６記載の発明）に係る太陽光発電装置によれば、上記スライダーのスライド操作により上記特定の基材と他の基材と若しくは該他の基材と角部側の他の基材とを連結し又は連結状態を解除することが可能とされてなることから、他の連結手段に比べて操作性が極めて良好となり、また相互の連結状態も安定したものとすることができる。
【図面の簡単な説明】
【００３７】
【図１】本発明の実施の形態に係る太陽光発電装置を示す平面図である。
【図２】図１に示す太陽光発電装置を構成する被覆カバーを取り外した状態を示す平面図である。
【図３】左側の他の基材と第２の角部側の他の基材との連結状態を拡大して示す平面図である。
【図４】上側の他の基材を拡大して示す平面図である。
【図５】第２の角部側の他の基材を拡大して示す平面図である。
【図６】上部側の他の基材を示す平面図である。
【図７】中継基板側の基材の上面を拡大して示す平面図である。
【図８】図１に示す太陽光発電装置の電気系統の配線状態を示す配線図である。
【発明を実施するための形態】
【００３８】
以下、本発明を実施するための最良の形態を、図面を参照しながら詳細に説明する。なお、以下の説明において、上方、上側、上部、上端、下方、下側、下部、下端、左方、左側、左部、左端、右方、右側、右部、右端等の各表現は、何れも以下に説明する太陽光発電装置を平面視した状態における表現である。
【００３９】
この実施の形態に係る太陽光発電装置１は、図１に示すように、中央に配置された中継基板側の基材２と、この中継基板側の基材２の上側（上方）に連結された上側の基材３と、上記中継基板側の基材２の下側（下方）に連結された下側の基材４と、上記中継基板側の基材２の左側（左方）に連結された左側の基材５と、上記中継基板側の基材２の右側（右方）に連結された右側の基材６と、を備えている。またさらに、この太陽光発電装置１は、左側は上記上側の基材３の右側に連結され下側は上記右側の基材６の上側に連結されてなる第１の角部側の基材７と、右側は上記上側の基材３の左側に連結され下側は上記左側の基材５の上側に連結されてなる第２の角部側の基材８と、上側は上記右側の基材６の下側に連結され左側は上記下側の基材４の右側に連結されてなる第３の角部側の基材９と、上側は上記左側の基材５の下側に連結され右側は上記下側の基材４の左側に連結されてなる第４の角部側の基材１０と、を備えている。なお、上記中継基板側の基材２は、本発明を構成する特定の基材である。また、上記上側の基材３、下側の基材４、左側の基材５と、右側の基材６は、それぞれ本発明を構成する他の基材である。また、上記第１の角部側の基材７、第２の角部側の基材８、第３の角部側の基材９、第４の角部側の基材１０は、それぞれ本発明を構成する角部側の他の基材である。
【００４０】
そして、上記各基材２・・・１０は、方形状に成形された樹脂製シート（合成皮革）からなり、上記中継基板側の基材２の中央には、端子ボックス１２が固定され、この端子ボックス１２内には、後述する中継基板が固定されている。また、上記基材３・・・１０の上面には、それぞれ太陽光の受光により発電する長方形状の二つの太陽光発電体１３ａ，１３ｂ・・・２０ａ，２０ｂが配置されている。これら二つの太陽光発電体１３ａ，１３ｂ・・・２０ａ，２０ｂは、それぞれフィルム状の形態を有してなるものである。なお、上記二つで一対とされた太陽光発電体１３ａ，１３ｂ・・・２０ａ，２０ｂの外形形状は、それぞれ上記各基材３・・・１０の外形形状とほぼ相似形で若干小さな形状とされている。
【００４１】
そして、上記中継基板側の基材２の上端の左側には、第１のファスナーテープ２２ａが固定され、また、該中継基板側の基材２の左端の下側には、第２のファスナーテープ２２ｂが固定され、また、該中継基板側の基材２の下端の右側には、第３のファスナーテープ２２ｃが固定され、また、該中継基板側の基材２の右端の上側には、第４のファスナーテープ２２ｄがそれぞれ固定されている。また、図１又は図４に示すように、上記上側の基材３の左端の下側には、第５のファスナーテープ３３ａが固定され、該上側の基材３の右端の中央には、第６のファスナーテープ３３ｂが固定され、また、該上側の基材３の下端の左側には、第７のファスナーテープ３３ｃが固定されている。また、図１又は図２に示すように、上記下側の基材４の左端の中央には、第８のファスナーテープ４４ａが固定され、該下側の基材４の右端の上側には、第９のファスナーテープ４４ｂが固定され、該下側の基材４の上端の右側には、第１０のファスナーテープ４４ｃが固定されている。また、上記左側の基材５の上端の中央には、第１１のファスナーテープ５５ａが固定され、該左側の基材５の右端の下側には、第１２のファスナーテープ５５ｂが固定され、該左側の基材５の下端の右側には、第１３のファスナーテープ５５ｃが固定されている。また、上記右側の基材６の上端の左側には、第１４のファスナーテープ６６ａが固定され、該右側の基材６の左端の上側には第１５のファスナーテープ６６ｂが固定され、該右側の基材６の下端の中央には第１６のファスナーテープ６６ｃが固定されている。
【００４２】
なお、上記中継基板側の基材２に固定された上記第１ないし第４のファスナーテープ２２ａ・・・２２ｄは、それぞれ本発明を構成する他方のシート体である。また、上記第５のファスナーテープ３３ａ、第６のファスナーテープ３３ｂ、第７のファスナーテープ３３ｃ、第８のファスナーテープ４４ａ、第９のファスナーテープ４４ｂ、第１０のファスナーテープ４４ｃ、第１１のファスナーテープ５５ａ、第１２のファスナーテープ５５ｂ、第１３のファスナーテープ５５ｃ、第１４のファスナーテープ６６ａ、第１５のファスナーテープ６６ｂ及び第１６のファスナーテープ６６ｃは、それぞれ本発明を構成する一方のシート体である。
【００４３】
また、上記第１の角部側の基材７の左端の中央には、第１７のファスナーテープ７７ａが固定され、該第１の角部側の基材７の下端の左側には、第１８のファスナーテープ７７ｂが固定されている。また、図１、図３又は図５に示すように、上記第２の角部側の基材８の右端の下側には、第１９のファスナーテープ８８ａが固定され、該第２の角部側の基材８の下端の中央には、第２０のファスナーテープ８８ｂが固定されている。また、上記第３の角部側の基材９の上端の中央には、第２１のファスナーテープ９９ａが固定され、該第３の角部側の左端の上側には、第２２のファスナーテープ９９ｂが固定されている。また、上記第４の角部側の基材１０の上端の右側には、第２３のファスナーテープ１００ａが固定され、該第４の角部側の基材１０の右端の中央には、第２４のファスナーテープ１００ｂが固定されている。なお、上記第１７のファスナーテープ７７ａ、第１８のファスナーテープ７７ｂ、第１９のファスナーテープ８８ａ、第２０のファスナーテープ８８ｂ、第２１のファスナーテープ９９ａ、第２２のファスナーテープ９９ｂ、第２３のファスナーテープ１００ａ及び第２４のファスナーテープ１００ｂは、それぞれ本発明を構成する角部側のシート体である。
【００４４】
そして、上記第１ないし第４のファスナーテープ２２ａ・・・２２ｄ、上記第５のファスナーテープ３３ａ、第６のファスナーテープ３３ｂ、第７のファスナーテープ３３ｃ、第８のファスナーテープ４４ａ、第９のファスナーテープ４４ｂ、第１０のファスナーテープ４４ｃ、第１１のファスナーテープ５５ａ、第１２のファスナーテープ５５ｂ、第１３のファスナーテープ５５ｃ、第１４のファスナーテープ６６ａ、第１５のファスナーテープ６６ｂ及び第１６のファスナーテープ６６ｃ、上記第１７のファスナーテープ７７ａ、第１８のファスナーテープ７７ｂ、第１９のファスナーテープ８８ａ、第２０のファスナーテープ８８ｂ、第２１のファスナーテープ９９ａ、第２２のファスナーテープ９９ｂ、第２３のファスナーテープ１００ａ及び第２４のファスナーテープ１００ｂには、本実施の形態では、それぞれ該ファスナーテープ（符号は省略する。）の長さ方向の一側に多数のエレメントが形成され、これらのエレメント同士がスライダー（符号は省略する。）の操作により噛合して連結され、又はこの連結状態が解除されるように構成されている。すなわち、図１又は図２に示すように、上記中継基板側の基材２と上側の基材３とは、スライダー（符号は省略する。）のスライド操作による上記第１のファスナーテープ２２ａと第７のファスナーテープ３３ｃとにそれぞれ固定された各エレメントの噛合により互いに連結され、また、上記中継基板側の基材２と下側の基材４とは、スライダーのスライド操作による上記第３のファスナーテープ２２ｃと上記第１０のファスナーテープ４４ｃとにそれぞれ固定された各エレメントの噛合により互いに連結され、また、上記中継基板側の基材２と左側の基材５とは、スライダーのスライド操作による上記第２のファスナーテープ２２ｂと上記第１２のファスナーテープ５５ｂとにそれぞれ固定された各エレメントの噛合により互いに連結され、また、上記中継基板側の基材２と上記右側の基材６とは、スライダーのスライド操作による上記第４のファスナーテープ２２ｄと上記第１５のファスナーテープ６６ｂとにそれぞれ固定された各エレメントの噛合により互いに連結されている。
【００４５】
また、上記第１の角部側の基材７と上側の基材３とは、スライダーのスライド操作による上記第１７のファスナーテープ７７ａと上記第６のファスナーテープ３３ｂとにそれぞれ固定された各エレメントの噛合により互いに連結され、該第１の角部側の基材７と右側の基材６とは、スライダーのスライド操作による上記第１８のファスナーテープ７７ｂと上記第１４のファスナーテープ６６ａとにそれぞれ固定された各エレメントの噛合により互いに連結されている。また、上記第２の角部側の基材８と上側の基材３とは、スライダーのスライド操作による上記第１９のファスナーテープ８８ａと上記第５のファスナーテープ３３ａとにそれぞれ固定された各エレメントの噛合により互いに連結され、該第２の角部側の基材８と左側の基材５とは、スライダーのスライド操作による上記第２０のファスナーテープ８８ｂと上記第１１のファスナーテープ５５ａとにそれぞれ固定された各エレメントの噛合により互いに連結されている。また、上記第３の角部側の基材９と右側の基材６とは、スライダーのスライド操作による上記第２１のファスナーテープ９９ａと上記第１５のファスナーテープ６６ｃとにそれぞれ固定された各エレメントの噛合により互いに連結され、該第３の角部側の基材９と下側の基材４とは、スライダーのスライド操作による上記第２２のファスナーテープ９９ｂと上記第９のファスナーテープ４４ｂとにそれぞれ固定された各エレメントの噛合により互いに連結されている。また、上記第４の角部側の基材１０と左側の基材５とは、スライダーのスライド操作による上記第２３のファスナーテープ１００ａと上記第１２のファスナーテープ５５ｂとにそれぞれ固定された各エレメントの噛合により互いに連結され、該第４の角部側の基材１０と下側の基材４とは、スライダーのスライド操作による上記第２４のファスナーテープ１００ｂと上記第８のファスナーテープ４４ａとにそれぞれ固定された各エレメントの噛合により互いに連結されている。
【００４６】
なお、図３は、上記第２の角部側の基材８と上記左側の基材５とを連結した状態を拡大して示すものであり、上述したように、該第２の角部側の基材８には、上記第２０のファスナーテープ８８ｂが固定され、この第２０のファスナーテープ８８ｂの一側には、上記一方のエレメント（符号は省略する。）が多数固定されている。一方、上記左側の基材５には、上記第１１のファスナーテープ５５ａが固定され、この第１１のファスナーテープ５５ａの他側には、上記一方のエレメントに固定された他方のエレメント（符号は省略する。）が多数固定されており、同図に示すスライダー８８のスライド操作により、上記一方及び他方のエレメントの噛合（連結状態）が解除される。すなわち、この実施の形態に係る太陽光発電装置１では、こうした第２の角部側の基材８と上記左側の基材５との連結状態と構成により、上記中継基板側の基材２と上側の基材３、該中継基板側の基材２と下側の基材４、該中継基板側の基材２と左側の基材５、該中継基板側の基材２と右側の基材６がそれぞれ連結され、また、上記上側の基材３と第１及び第２の角部側の基材７，８、上記下側の基材４と上記第３及び第４の角部側の基材９，１０がそれぞれ連結され、これらそれぞれの連結状態は上記スライダー８８と同じ構成のスライダーによるスライド操作により、該連結状態が解除されるように構成されている。
【００４７】
そして、この実施の形態に係る太陽用発電装置１を構成する上記上側の基材３、下側の基材４、左側の基材５及び右側の基材６を構成するそれぞれの太陽光発電体１３ａ，１３ｂ、１４ａ，１４ｂ、１５ａ，１５ｂ、１６ａ，１６ｂからは、それぞれマイナス側ケーブルとプラス側ケーブルが接続され、上記マイナス側ケーブルとプラス側ケーブルの先端には接続コネクタが固定されている。例えば、図４は、上記上側の基材３を拡大して示すものであり、この上側の基材３の上面に固定された上記二つの太陽光発電体１３ａ，１３ｂからは、上記マイナス側ケーブル１３ｄとプラス側ケーブル１３ｅの基端が接続され、また、これらマイナス側ケーブル１３ｄとプラス側ケーブル１３ｅの先端には、上記（第１の）接続コネクタ１３ｃが固定されている。そして、上記それぞれのマイナス側ケーブルとプラス側ケーブルの中途部は、例えば、図６に示すように、上記中継基板側の基材２方向に延出され、上記ファスナーテープ（例えば、上側の基材３に固定された第６のファスナーテープ３３ｂ）を跨いだ状態とされている。こうした構成は、上記上側の基材３ばかりではなく、上記下側の基材４におけるマイナス側ケーブルとプラス側ケーブルや、上記左側の基材５におけるマイナス側ケーブルとプラス側ケーブル、上記右側の基材６におけるマイナス側ケーブルとプラス側ケーブルもそれぞれ同じであり、それぞれのマイナス側ケーブルとプラス側ケーブルは、上記第１０のファスナーテープ４４ｃ、第１２のファスナーテープ５５ｂ、第１５のファスナーテープ６６ｂをそれぞれ跨いだ状態とされている。なお、以降では、上記上側の基材３に設けられた接続コネクタを第１の接続コネクタといい、下側の基材４に設けられた接続コネクタを第２の接続コネクタといい、左側の基材５に設けられた接続コネクタを第３の接続コネクタといい、右側の基材６に設けられた接続コネクタを第４の接続コネクタという。なお、これらの接続コネクタの符号は後述する。
【００４８】
一方、上記第１の角部側の基材７、第２の角部側の基材８、第３の角部側の基材９、及び第４の角部側の基材１０を構成するそれぞれの太陽光発電体１７ａ，１７ｂ、１８ａ，１８ｂ、１９ａ，１８ｂ、２０ａ，２０ｂからは、それぞれマイナス側ケーブルとプラス側ケーブルが接続され、上記マイナス側ケーブルとプラス側ケーブルの先端にはそれぞれ接続コネクタが固定されている。例えば、図５は、上記第２の角部側の基材８を拡大して示すものであり、この第２の角部側の基材８の上面に固定された上記二つの太陽光発電体１８ａ，１８ｂからは、上記マイナス側ケーブル１８ｄとプラス側ケーブル１８ｅの基端が接続され、また、これらマイナス側ケーブル１８ｄとプラス側ケーブル１８ｅの先端には、上記（第６の）接続コネクタ１８ｃが固定されている。そして、上記マイナス側ケーブル１８ｄとプラス側ケーブル１８ｅの基端は、上記中継基板側の基材２の左上角部に近い位置から延出されてなるものであり、上記（第６の）接続コネクタ１８ｃは、該中継基板側の基材２と上記上側の基材３の下端近傍に位置している。こうした構成は、上記第２の角部側の基材８ばかりではなく、上記第１の角部側の基材７におけるマイナス側ケーブルとプラス側ケーブルや、上記第３の角部側の基材９におけるマイナス側ケーブルとプラス側ケーブル、上記第４の角部側の基材１０におけるマイナス側ケーブルとプラス側ケーブルも、中継基板側の基材２の左上角部又は中継基板側の基材２の左下角部又は中継基板側の基材２の右下角部に近い位置からそれぞれ延出されている。なお、以降では、上記第１の角部側の基材７に設けられた接続コネクタを第５の接続コネクタといい、第２の角部側の基材８に設けられた接続コネクタを第６の接続コネクタといい、第３の角部側の基材９に設けられた接続コネクタを第７の接続コネクタといい、第４の角部側の基材１０に設けられた接続コネクタを第８の接続コネクタという。なお、これらの接続コネクタの符号は後述する。
【００４９】
また、上記中継基板側の基材２は、図７に示すように、先に説明した端子ボックス１２が中央に固定されてなるものであり、この端子ボックス１２の内部には、図８に示すように、中継基板１２ａが固定されている。また、この中継基板１２ａの下側には先に説明したそれぞれのマイナス側ケーブルやプラス側ケーブルに電気的に接続する配線が形成された中継モジュール１２ｂが形成されている。なお、この中継基板１２ａや中継モジュール１２ｂの配線状態ないしは前記各太陽光発電体１３ａ，１３ｂ、１４ａ，１４ｂ、１５ａ，１５ｂ、１６ａ，１６ｂ、１７ａ，１７ｂ、１８ａ，１８ｂ、１９ａ，１９ｂ、２０ａ，２０ｂとの接続関係に関しては、後述する。
【００５０】
そして、この中継基板側の基材２の上端側の左側には、上記中継モジュール１２ｂに形成された配線に基端が接続されたマイナス側ケーブル３２ａとプラス側ケーブル３２ｂとが一対となった状態で露出され（図７参照）、これらマイナス側ケーブル３２ａとプラス側ケーブル３２ｂの先端には、第９の接続コネクタ３２ｃが固定されている。この第９の接続コネクタ３２ｃは、上記上側の基材３に設けられた第１の接続コネクタ１３ｃに接続されている。なお、上記第１の接続コネクタ１３ｃは、太陽光発電体１３ａ，１３ｂに基端が接続されてなるマイナス側ケーブル１３ｄとプラス側ケーブル１３ｅの先端に固定されたものである。また、中継基板側の基材２の上端側の左側には、上記一対となったマイナス側ケーブル３２ａとプラス側ケーブル３２ｂとの左側に、マイナス側ケーブル３２ｄとプラス側ケーブル３２ｅとが一対となった状態で露出され、これらマイナス側ケーブル３２ｄとプラス側ケーブル３２ｅの先端には、第１０の接続コネクタ３２ｆが固定されている。この第１０の接続コネクタ３２ｆは、上記第２の角部側の基材８に設けられた第６の接続コネクタ１８ｃに接続されている。なお、上記第６の接続コネクタ１８ｃは、太陽光発電体１８ａ，１８ｂに基端が接続されてなるマイナス側ケーブル１８ｄとプラス側ケーブル１８ｅの先端に固定されたものである。そして、上記第９の接続コネクタ３２ｃと第１の接続コネクタ１３ｃとの接続位置は、上記第７のファスナーテープ３３ｃ上とされ、上記第１０の接続コネクタ３２ｆと上記第６の接続コネクタ１８ｃとの接続位置は、上記第１のファスナーテープ２２ａ上とされており、互いの接続位置は上側の基材３と中継基板側の基材２との間を境にして対峙した位置とされている。
【００５１】
また、上記中継基板側の基材２の左端側の下側には、上記中継モジュール１２ｂに形成された配線に基端が接続されたマイナス側ケーブル３２ｇとプラス側ケーブル３２ｈとが一対となった状態で露出され、これらマイナス側ケーブル３２ｇとプラス側ケーブル３２ｈの先端には、第１１の接続コネクタ３２ｉが固定されている。この第１１の接続コネクタ３２ｉは、上記左側の基材５に設けられた第３の接続コネクタ１５ｃに接続されている。なお、上記第３の接続コネクタ１５ｃは、太陽光発電体１５ａ，１５ｂに基端が接続されてなるマイナス側ケーブル１５ｄとプラス側ケーブル１５ｅの先端に固定されたものである。また、中継基板側の基材２の左端側の下側には、上記一対となったマイナス側ケーブル３２ｇとプラス側ケーブル３２ｈとの下側に、マイナス側ケーブル３２ｊとプラス側ケーブル３２ｋとが一対となった状態で露出され、これらマイナス側ケーブル３２ｊとプラス側ケーブル３２ｋの先端には、第１２の接続コネクタ３２ｌが固定されている。この第１２の接続コネクタ３２ｌは、上記第４の角部側の基材１０に設けられた第８の接続コネクタ２０ｃに接続されている。なお、上記第８の接続コネクタ２０ｃは、太陽光発電体２０ａ，２０ｂに基端が接続されてなるマイナス側ケーブル２０ｄとプラス側ケーブル２０ｅの先端に固定されたものである。そして、上記第１１の接続コネクタ３２ｉと第３の接続コネクタ１５ｃとの接続位置は、上記第１２のファスナーテープ５５ｂ上とされ、上記第１２の接続コネクタ３２ｌと上記第８の接続コネクタ２０ｃとの接続位置は、上記第２のファスナーテープ２２ｂ上とされており、互いの接続位置は左側の基材５と中継基板側の基材２との間を境にして対峙した位置とされている。また、上記中継基板側の基材２の右端側の上側には、上記中継モジュール１２ｂに形成された配線に基端が接続されたマイナス側ケーブル３２ｍとプラス側ケーブル３２ｎとが一対となった状態で露出され、これらマイナス側ケーブル３２ｍとプラス側ケーブル３２ｎの先端には、第１３の接続コネクタ３２ｏが固定されている。この第１３の接続コネクタ３２ｏは、上記右側の基材６に設けられた第４の接続コネクタ１６ｃに接続されている。なお、上記第４の接続コネクタ１６ｃは、太陽光発電体１６ａ，１６ｂに基端が接続されてなるマイナス側ケーブル１６ｄとプラス側ケーブル１６ｅの先端に固定されたものである。
【００５２】
また、図６に示すように、中継基板側の基材２の右端側の上側には、上記一対となったマイナス側ケーブル３２ｍとプラス側ケーブル３２ｎとの上側に、マイナス側ケーブル３２ｐとプラス側ケーブル３２ｑとが一対となった状態で露出され、これらマイナス側ケーブル３２ｐとプラス側ケーブル３２ｑの先端には、第１４の接続コネクタ３２ｒが固定されている。この第１４の接続コネクタ３２ｒは、上記第１の角部側の基材７に設けられた第５の接続コネクタ１７ｃに接続されている。なお、上記第５の接続コネクタ１７ｃは、太陽光発電体１７ａ，１７ｂに基端が接続されてなるマイナス側ケーブル１７ｄとプラス側ケーブル１７ｅの先端に固定されたものである。そして、上記第１３の接続コネクタ３２ｏと第４の接続コネクタ１６ｃとの接続位置は、上記第１５のファスナーテープ６６ｂ上とされ、上記第１４の接続コネクタ３２ｒと上記第５の接続コネクタ１７ｃとの接続位置は、上記第４のファスナーテープ２２ｄ上とされており、互いの接続位置は右側の基材６と中継基板側の基材２との間を境にして対峙した位置とされている。また、上記中継基板側の基材２の下端の右側には、上記中継モジュール１２ｂに形成された配線に基端が接続されたマイナス側ケーブル３２ｓとプラス側ケーブル３２ｔとが一対となった状態で露出され、これらマイナス側ケーブル３２ｓとプラス側ケーブル３２ｔの先端には、第１５の接続コネクタ３２ｕが固定されている。この第１５の接続コネクタ３２ｕは、上記下側の基材４に設けられた第２の接続コネクタ１４ｃに接続されている。なお、上記第２の接続コネクタ１４ｃは、太陽光発電体１４ａ，１４ｂに基端が接続されてなるマイナス側ケーブル１４ｄとプラス側ケーブル１４ｅの先端に固定されたものである。また、中継基板側の基材２の下端側の右側には、上記一対となったマイナス側ケーブル３２ｓとプラス側ケーブル３２ｔとの右側に、マイナス側ケーブル３２ｖとプラス側ケーブル３２ｗとが一対となった状態で露出され、これらマイナス側ケーブル３２ｖとプラス側ケーブル３２ｗの先端には、第１６の接続コネクタ３２ｘが固定されている。この第１６の接続コネクタ３２ｘは、上記第３の角部側の基材９に設けられた第７の接続コネクタ１９ｃに接続されている。なお、上記第７の接続コネクタ１９ｃは、太陽光発電体１９ａ，１９ｂに基端が接続されてなるマイナス側ケーブル１９ｄとプラス側ケーブル１９ｅの先端に固定されたものである。そして、上記第１５の接続コネクタ３２ｕと第２の接続コネクタ１４ｃとの接続位置は、上記第１０のファスナーテープ４４ｃ上とされ、上記第１６の接続コネクタ３２ｘと上記第７の接続コネクタ１９ｃとの接続位置は、上記第３のファスナーテープ２２ｃ上とされており、互いの接続位置は下側の基材４と中継基板側の基材２との間を境にして対峙した位置とされている。
【００５３】
そして、上記第９の接続コネクタ３２ｃと第１の接続コネクタ１３ｃとの接続位置と、上記第１０の接続コネクタ３２ｆと第６の接続コネクタ１８ｃとの接続位置、また、上記第１１の接続コネクタ３２ｉと第３の接続コネクタ１５ｃとの接続位置、また、上記第１２の接続コネクタ３２ｌと第８の接続コネクタ２０ｃとの接続位置、また、上記第１３の接続コネクタ３２ｏと第４の接続コネクタ１６ｃとの接続位置、また、上記第１４の接続コネクタ３２ｒと第５の接続コネクタ１７ｃとの接続位置、また、上記第１５の接続コネクタ３２ｕと第２の接続コネクタ１４ｃとの接続位置、また、上記第１６の接続コネクタ３２ｘと第７の接続コネクタ１９ｃとの接続位置との全部で４カ所には、それぞれの接続コネクタ（符号は省略する。）の上方から該それぞれの接続コネクタ（符号は省略する。）と上記を被覆する第１ないし第４の被覆カバー９０，９１，９２，９３がそれぞれ取り外し可能に取り付けられている。上記第１の被覆カバー９０は、上端側が上記上側の基材３に取り付けられ、下端側が上記中継基板側の基材２に取り付けられており、上記第２の被覆カバー９１は、左端側が上記左側の基材５に取り付けられてなり、右端側は上記中継基板側の基材２に取り付けられている。また、上記第３の被覆カバー９２は、上端側が上記中継基板側の基材２に取り付けられており、下端側は上記下側の基材４に取り付けられている。また、上記第４の被覆カバー９３の左端側は上記中継基板側の基材２上に取り付けられており、右端側は上記右側の基材６に取り付けられている。なお、上記各被覆カバー（符号は省略する。）と上記各基材（符号は省略する。）との取付構造は、該被覆カバーの裏面又は基材の上面の何れかに相対的に固定された図示しない一方のフック金具と他方のフック金具とが嵌合されることにより、それぞれ取り外し可能に取り付けられたものである。なお、上記第１ないし第４の被覆カバー９０，９１，９２，９３は、上記各基材２・・・１０と同じ素材により成形されたものである。
【００５４】
また、この実施の形態に係る太陽光発電装置１では、上記第１の角部側の基材７に固定された太陽光発電体１７ａ，１７ｂに基端が接続された上記マイナス側ケーブル１７ｄとプラス側ケーブル１７ｅの中途部は、図１に示す第１の長尺被覆カバー９４により、また、上記第２の角部側の基材８に固定された太陽光発電体１８ａ，１８ｂに基端が接続された上記マイナス側ケーブル１８ｄとプラス側ケーブル１８ｅの中途部は、第２の長尺被覆カバー９５により、また、上記第３の角部側の基材９に固定された太陽光発電体１９ａ，１９ｂに基端が接続された上記マイナス側ケーブル１９ｄとプラス側ケーブル１９ｅの中途部は、第３の長尺被覆カバー９６により、また、上記第４の角部側の基材１０に固定された太陽光発電体２０ａ，２０ｂに基端が接続された上記マイナス側ケーブル２０ｄとプラス側ケーブル１７ｅの中途部は、第４の長尺被覆カバー９７により被覆されている。これら第１ないし第４の長尺被覆カバー９４，９５，９６，９７は、上記各基材２・・・１０と同じ素材により成形されたものである。
【００５５】
以下、上述した構成に係る太陽光発電装置１の電気系統の配線状態を説明する。この太陽光発電装置１では、図８に示すように、それぞれ二つの太陽光発電体１３（１３ａ，１３ｂ）・・・２０（２０ａ，２０ｂ）は、それぞれマイナス側ケーブル１３ｄ・・・２０ｄとプラス側ケーブル１３ｅ・・・２０ｅと、上記第１ないし第８の接続コネクタ１３ｃ・・・２０ｃとを介して、上記中継モジュール１２ｂに基端が接続されたマイナス側ケーブル３２ａ・・・３２ｊとプラス側ケーブル３２ｂ・・・３２ｋを介して、マイナス側とプラス側とが上記中継モジュール１２ｂ及び中継基板１２ａにおいて互いに独立して接続され、蓄電ユニットＶに接続されるように構成されている。なお、上記中継基板１２ａにおいては、上記各プラス側ケーブル３２ｂ・・・３２ｋに通電している配線（符号は省略する。）の途中には、逆流防止用のダイオード（符号は省略する。）がそれぞれ配置されている。
【００５６】
上述した実施の形態に係る太陽光発電装置１によれば、先に説明したように、上記第１ないし第２４のファスナーテープ（符号は省略する。）は、それぞれ布帛又は樹脂製シート等のような折り畳み可能素材により成形されていることから、上記中継基板側の基材２と上記上側の基材３とが、また、上記中継基板側の基材２と下側の基材４とが、また、上記中継基板側の基材２と左側の基材５とが、また、上記中継基板側の基材２と上記右側の基材６とが、それぞれ表面側及び裏面側で互いに重なるように折り畳むことができるとともに、上記上側の基材３と上記第１の角部側の基材７とが、また、上記下側の基材４と上記第３の角部側の基材９とが、また、上記上側の基材３と上記第２の角部側の基材８とが、また、上記下側の基材４と上記第４の角部側の基材１０とが、それぞれ表面側及び裏面側で互いに重なるように折り畳むことができる。したがって、この太陽光発電装置１は、例えば、上記第１の角部側の基材７が上記上側の基材３上に、また、上記右側の基材６が上記中継基板側の基材２上に、また、上記第３の角部側の基材９が上記下側の基材４上に、それぞれ重なるように折り畳み、次いで、上記第２の角部側の基材８が上記上側の基材３上に、また、上記左側の基材５が上記中継基板側の基材２上に、また、上記第４の角部側の基材１０が上記下側の基材４上に、それぞれ重なるように折り畳み、次いで、上記上側の基材３が上記中継基板側の基材２の上方に（折り畳まれた上記第２の角部側の基材８の裏面が上記中継基板側の基材２の直上に）、また、上記下側の基材４が上記中継基板側の基材２の上方に（折り畳まれた上記第４の角部側の基材１０の裏面が上記中継基板側の基材２の直上に）それぞれ重なるように折り畳むことができる。上記太陽光発電装置１を、このような工程で折り畳んだ場合、この折り畳まれた太陽光発電装置１の平面形状は、ほぼ上記中継基板側の基材２の平面形状とすることができ、極めて容易に持ち運ぶことができるとともに、例えば、自動車のトランクや倉庫等の狭い空間でも保存することが可能となる。なお、上記太陽光発電装置１の折り畳み方法は、上述した工程による場合の他、上記中継基板側の基材２の下方に他の基材３・・・１０の全てが重なるように折り畳むことも可能である。
【００５７】
そして、上述したように、この実施の形態に係る太陽光発電装置１では、上記中継基板側の基材２は、他の基材３・・・１０により挟まれた位置（本実施の形態に係る太陽光発電装置１では中央）に配置されていることから、中継基板１２ａと前記それぞれの太陽光発電体１３（１３ａ，１３ｂ）・・・２０（２０ａ，２０ｂ）とを互いに電気的に接続するマイナス側ケーブル１３ｄ・・・２０ｄとプラス側ケーブル１３ｅ・・・２０ｅとの長さ（及びその総和）は最も短いものとなることから、電気抵抗を大きく抑制することができるばかりではなく、上述した折り畳み操作を繰り返すことによる断線等の危険性を格段に向上させることができる。
【００５８】
また、この太陽光発電装置１では、上記中継基板側の基材２に対して、上記上側の基材３、下側の基材４、左側の基材５及び右側の基材６を取り外すことができ、また、上記第１ないし第４の角部側の基材７，８，９，１０も上記上側の基材３、下側の基材４、左側の基材５又は右側の基材６から取り外すことができることから、使用者の使用目的や使用時間等に応じて、個々の太陽光発電体の数を適宜変更して使用することができ、極めて使い勝手の良いものとなる。
【００５９】
さらに、この太陽光発電装置１では、上記中継基板側の基材２に固定された中継基板１２ａと、上記上側の基材３、下側の基材４、左側の基材５及び右側の基材６に固定された太陽光発電体（符号は省略する。）との電気的な接続、また、上記第１ないし第４の角部側の基材７，８，９，１０に固定された太陽光発電体（符号は省略する。）と上記上側の基材３、下側の基材４、左側の基材５又は右側の基材６に固定された太陽光発電体（符号は省略する。）の電気的な接続を行う前記それぞれの接続コネクタ（符号は省略する。）は、上記第１ないし第４の被覆カバー９０，９１，９２，９３により被覆されていることから、不用意に外れてそれぞれの接続状態が解除される危険性を防止することができる。特に、この実施の形態に係る太陽光発電装置１では、上記第１ないし第４の被覆カバー９０，９１，９２，９３は、上記中継基板側の基材２に固定された中継基板１２ａと、上記上側の基材３、下側の基材４、左側の基材５、右側の基材６に固定された各太陽光発電体（符号は省略する。）との電気的接続を図る各接続コネクタ（符号は省略する。）ばかりではなく、上記中継基板側の基材２に固定された中継基板１２ａと、上記第１の角部側の基材７、第２の角部側の基材８、第３の角部側の基材９、第４の角部側の基材１０に固定された太陽光発電体（符号は省略する。）との電気的接続を図る各接続コネクタ（符号は省略する。）も被覆していることから、使用者の目的等により、上記第１ないし第４の上記角部側の基材７・・・１０の何れかが取り付けられ、又は取り付けられない場合あっても、上記第１ないし第４の被覆カバー９０，９１，９２，９３を増加する必要性がない。
【００６０】
さらにまた、この太陽光発電装置１では、上記第１ないし第４の上記角部側の基材７・・・１０に固定された太陽光発電体（符号は省略する。）にそれぞれ基端が接続された上記マイナス側ケーブルとプラス側ケーブル（符号は省略する。）の中途部は、先に説明した第１ないし第４の長尺被覆カバー９４，９５，９６，９７により被覆されており、外部に露出されないことから、不用意に各ケーブル（符号は省略する。）が引っ張られて断線したり、先に説明したそれぞれの接続コネクタ同士の接続状態が解除されてしまったりする危険性を有効に防止することができる。
【００６１】
なお、上述した実施の形態に係る太陽光発電装置１では、上記中継基板側の基材２に対して、上側の基材３、下側の基材４、左側の基材５、右側の基材６の全てを連結させるとともに、さらに上記第１ないし第４の上記角部側の基材７・・・１０の全てを連結させたものを図示して説明したが、本発明は、中継基板１２ａが固定された上記中継基板側の基材２に対して、上記上側の基材３と下側の基材４とが、又は、該中継基板側の基材２に対して、上記左側の基材５と右側の基材６とが、少なくとも連結されているものであれば良い。
【００６２】
また、上述した実施の形態に係る太陽光発電装置１では、本発明を構成する連結手段として、スライダー８８により直線状にスライド操作することにより一方のエレメントと他方のエレメントが互いに噛合するファスナーを図示して説明したが、本発明に係る連結手段は、上記各基材２・・・１０に固定されたファスナーテープを互いに取り外し可能に連結することができるものであれば良く、例えば、互いに着脱可能な一方の面ファスナーと他方の面ファスナーとをそれぞれ上記ファスナーテープに固定したものであっても良い。
【符号の説明】
【００６３】
１  太陽光発電装置
２  中継基板側の基材
３  上側の基材
４  下側の基材
５  左側の基材
６  右側の基材
７  第１の角部側の基材
８  第２の角部側の基材
９  第３の角部側の基材
１０  第４の角部側の基材
１２ａ  中継基板
１３（１３ａ，１３ｂ）  太陽光発電体
１３ｃ  第１の接続コネクタ
１３ｄ  マイナス側ケーブル
１３ｅ  プラス側ケーブル
１４（１４ａ，１４ｂ）  太陽光発電体
１４ｃ  第２の接続コネクタ
１４ｄ  マイナス側ケーブル
１４ｅ  プラス側ケーブル
１５（１５ａ，１５ｂ）  太陽光発電体
１５ｃ  第３の接続コネクタ
１５ｄ  マイナス側ケーブル
１５ｅ  プラス側ケーブル
１６（１６ａ，１６ｂ）  太陽光発電体
１６ｃ  第４の接続コネクタ
１６ｄ  マイナス側ケーブル
１６ｅ  プラス側ケーブル
１７（１７ａ，１７ｂ）  太陽光発電体
１７ｃ  第５の接続コネクタ
１７ｄ  マイナス側ケーブル
１７ｅ  プラス側ケーブル
１８（１８ａ，１８ｂ）  太陽光発電体
１８ｃ  第６の接続コネクタ
１８ｄ  マイナス側ケーブル
１８ｅ  プラス側ケーブル
１９（１９ａ，１９ｂ）  太陽光発電体
１９ｃ  第７の接続コネクタ
１９ｄ  マイナス側ケーブル
１９ｅ  プラス側ケーブル
２０（２０ａ，２０ｂ）  太陽光発電体
２０ｃ  第８の接続コネクタ
２０ｄ  マイナス側ケーブル
２０ｅ  プラス側ケーブル
２２ａ，２２ｂ，２２ｃ，２２ｄ  第１ないし第４のファスナーテープ（他方のシート体）
３２ａ  マイナス側ケーブル
３２ｂ  プラス側ケーブル
３２ｃ  第９の接続コネクタ
３２ｄ  マイナス側ケーブル
３２ｅ  プラス側ケーブル
３２ｆ  第１０の接続コネクタ
３２ｇ  マイナス側ケーブル
３２ｈ  プラス側ケーブル
３２ｉ  第１１の接続コネクタ
３２ｊ  マイナス側ケーブル
３２ｋ  プラス側ケーブル
３２ｌ  第１２の接続コネクタ
３２ｍ  マイナス側ケーブル
３２ｎ  プラス側ケーブル
３２ｏ  第１３の接続コネクタ
３２ｐ  マイナス側ケーブル
３２ｑ  プラス側ケーブル
３２ｒ  第１４の接続コネクタ
３２ｓ  マイナス側ケーブル
３２ｔ  プラス側ケーブル
３２ｕ  第１５の接続コネクタ
３２ｖ  マイナス側ケーブル
３２ｗ  プラス側ケーブル
３２ｘ  第１６の接続コネクタ
３３ａ，３３ｂ，３３ｃ  第５ないし第７のファスナーテープ（一方のシート体）
４４ａ，４４ｂ，４４ｃ  第８ないし第１０のファスナーテープ（一方のシート体）
５５ａ，５５ｂ，５５ｃ  第１１ないし第１３のファスナーテープ（一方のシート体）
６６ａ，６６ｂ，６６ｃ  第１４ないし第１６のファスナーテープ（一方のシート体）
７７ａ，７７ｂ  第１７と第１８のファスナーテープ（角部側のシート体）
８８  スライダー
８８ａ，８８ｂ  第１９と第２０のファスナーテープ（角部側のシート体）
９０，９１，９２，９３  第１ないし第４の被覆カバー
９４，９５，９６，９７  第１ないし第４の長尺被覆カバー
９９ａ，９９ｂ  第２１と第２２のファスナーテープ（角部側のシート体）
１００ａ，１００ｂ  第２３と第２４のファスナーテープ（角部側のシート体）
【図１】
0006624909.tif 000002
【図２】
0006624909.tif 000003
【図３】
0006624909.tif 000004
【図４】
0006624909.tif 000005
【図５】
0006624909.tif 000006
【図６】
0006624909.tif 000007
【図７】
0006624909.tif 000008
【図８】
0006624909.tif 000009